(57)【特許請求の範囲】
【請求項１】
少なくとも１つの貯蔵室を有する冷蔵庫において、
前記少なくとも１つの貯蔵室内に設けられた貯蔵スペースである湿度調整室と、
吸着剤が担持され、前記湿度調整室の内側、及び前記湿度調整室の外側とに跨って回転可能に設けられた水分吸着手段と、
前記水分吸着手段を回転させる回転駆動手段と、
前記水分吸着手段に空気を送り込む第１送風手段と、
前記貯蔵室の冷却に利用される冷気を生成する冷却器と、
前記冷却器で冷却された空気を搬送する空気搬送手段と、
前記空気搬送手段によって前記冷却器から前記貯蔵室に搬送される空気を導く冷却空気搬送風路と、
前記貯蔵室から前記冷却器に搬送される空気を導く戻り空気搬送風路と、
を備え、
前記水分吸着手段のうち前記湿度調整室内に位置する領域を第１領域、前記湿度調整室外に位置する領域を第２領域としたとき、
前記第１送風手段は、
前記第１領域、又は前記第２領域に空気を送り込み、
前記回転駆動手段は、前記水分吸着手段を回転させて、
前記第１領域に位置する領域と、前記第２領域に位置する領域とを交替可能とし、
前記水分吸着手段は、
前記湿度調整室内と前記湿度調整室外との境界面上であって前記水分吸着手段の重心を通る回転軸を中心に回転し、
前記第２領域が、
前記冷却空気搬送風路、あるいは前記戻り空気搬送風路に配置された
ことを特徴とする冷蔵庫。
【請求項２】
少なくとも１つの貯蔵室を有する冷蔵庫において、
前記少なくとも１つの貯蔵室内に設けられた貯蔵スペースである湿度調整室と、
吸着剤が担持され、前記湿度調整室の内側、及び前記湿度調整室の外側とに跨って回転可能に設けられた水分吸着手段と、
前記水分吸着手段を回転させる回転駆動手段と、
前記水分吸着手段に空気を送り込む第１送風手段と、
前記湿度調整室の貯蔵品を保存する空間の開閉をする湿度調整室蓋部と、
前記湿度調整室蓋部の開閉状態を検出する開閉検出手段と、
前記開閉検出手段の検出結果に基づいて、前記第１送風手段の風量、及び前記回転駆動手段の回転数のうち、少なくとも１つを制御する湿度制御手段と、
を備え、
前記水分吸着手段のうち前記湿度調整室内に位置する領域を第１領域、前記湿度調整室外に位置する領域を第２領域としたとき、
前記第１送風手段は、
前記第１領域、又は前記第２領域に空気を送り込み、
前記回転駆動手段は、前記水分吸着手段を回転させて、
前記第１領域に位置する領域と、前記第２領域に位置する領域とを交替可能とし、
前記水分吸着手段は、
前記湿度調整室内と前記湿度調整室外との境界面上であって前記水分吸着手段の重心を通る回転軸を中心に回転し、
前記湿度制御手段は、
前記開閉検出手段が、前記湿度調整室蓋部の開状態を検出した場合、
前記第１送風手段の風量、前記回転駆動手段の回転速度のうち、少なくとも１つを増大させる
ことを特徴とする冷蔵庫。
【請求項３】
前記第１送風手段が前記水分吸着手段に空気を送り込む領域とは反対側の領域に、空気を送り込む第２送風手段を備えた
ことを特徴とする請求項１又は２に記載の冷蔵庫。
【請求項４】
前記湿度調整室内の湿度を検出する湿度検出手段と、
前記湿度検出手段の検出結果に基づいて、前記第１送風手段の風量、前記第２送風手段の風量、及び前記回転駆動手段の回転数のうち、少なくとも１つを制御する湿度制御手段とを備えた
ことを特徴とする請求項１〜３のいずれか一項に記載の冷蔵庫。
【請求項５】
前記湿度制御手段は、
前記湿度検出手段により検出された前記湿度調整室内の湿度が、所定の湿度範囲より高い場合、
前記第１送風手段の風量、前記第２送風手段の風量、及び前記回転駆動手段の回転数のうち、少なくとも１つを増大させる
ことを特徴とする請求項４に記載の冷蔵庫。
【請求項６】
前記湿度制御手段は、
前記湿度検出手段により検出された前記湿度調整室内の湿度が、所定の湿度範囲より低い場合、
前記第１送風手段の風量、前記第２送風手段の風量、及び前記回転駆動手段の回転数のうち、少なくとも１つを減少させる、あるいは停止させる
ことを特徴とする請求項４に記載の冷蔵庫。
【請求項７】
前記湿度調整室の貯蔵品を保存する空間の開閉をする湿度調整室蓋部と、
前記湿度調整室蓋部の開閉状態を検出する開閉検出手段と、
前記開閉検出手段の検出結果に基づいて、前記第１送風手段の風量、前記第２送風手段の風量、及び前記回転駆動手段の回転数のうち、少なくとも１つを制御する湿度制御手段とを備え、
前記湿度制御手段は、
前記開閉検出手段が、前記湿度調整室蓋部の開状態を検出した場合、
前記第１送風手段の風量、前記第２送風手段の風量、前記回転駆動手段の回転速度のうち、少なくとも１つを増大させる
ことを特徴とする請求項３に記載の冷蔵庫。
【発明の詳細な説明】
【技術分野】
【０００１】
本発明は、冷蔵庫に関し、特に、食品の鮮度維持のための湿度調整機能を有する冷蔵庫に関するものである。
【背景技術】
【０００２】
冷蔵庫や食品保管庫において、食品の鮮度を維持するために庫内を高湿度に保つことは効果的であり、特に野菜を高湿度環境下で保存した場合、野菜の水分蒸散作用を抑制するため、長時間鮮度を維持することが可能となる。
【０００３】
そこで従来の冷蔵庫には、野菜室の流入出口に、デシカントローターが設けられ、デシカントローターを介して、野菜室から冷却器への戻り空気中の水分を吸着し、冷蔵室から野菜室へ送られる空気中に脱着することで野菜室の湿度を保つものが提案されている（例えば、特許文献１参照）。
また、従来の冷蔵庫には、冷蔵庫内にそれぞれ独立した空間Ａと空間Ｂが、除湿及び加湿機構を介して接続され、該除湿及び加湿機構により、空間Ｂの水蒸気を除去し、除去された水蒸気を空間Ａに供給するものが提案されている（例えば、特許文献２参照）。
【先行技術文献】
【特許文献】
【０００４】
【特許文献１】特開２００８−２５６２５７号公報（例えば、５頁、６頁、８頁及び図１参照）
【特許文献２】特開２０１０−１４４９９１号公報（例えば、３頁、４頁、図３〜図５参照）
【発明の概要】
【発明が解決しようとする課題】
【０００５】
特許文献１に記載の技術では、デシカントローターを介して、野菜室から冷却器への戻り空気中の水分を吸着し、冷蔵室から野菜室へ送られる空気中に脱着するので、野菜室の湿度を維持する保湿効果を得ることができる。しかし、上記冷蔵室から野菜室に送られる空気の相対湿度及び絶対湿度はともに低く、上記のようにしても野菜室の相対湿度を、食品に応じた所定の相対湿度に調整することができない場合があった。
また、特許文献１に記載の技術では、デシカントローターに含まれる水分を、ヒーターを用いて脱着して、除加湿量を増加させている。これにより、野菜室の絶対湿度は大きくなるが、ヒーターの熱によって野菜室の飽和水蒸気量が大きくなり、野菜室の相対湿度が低下してしまい、野菜室の相対湿度を、食品に応じた所定の相対湿度に調整することができないという課題があった。
また、特許文献１に記載の技術では、デシカントローターに含まれる水分の脱着をヒーターを用いて促進するので、ヒーターを通電する分だけ消費電力が大きくなってしまうという課題があった。
【０００６】
特許文献２に記載の技術では、空間Ａを加湿し、空間Ｂを除湿することはできるが、逆に空間Ａを除湿し、空間Ｂを加湿することができなかった。また、空間Ｂで除去された水蒸気を、空間Ａに供給する量（水分移動量）を制御する機構が存在しなかった。これにより、特許文献２に記載の技術では、食品に応じた所定の相対湿度に調整することができないという課題があった。
【０００７】
本発明は、以上のような課題を解決するためになされたもので、食品に応じた所定の相対湿度に調整することができる冷蔵庫を提供することを目的としている。
【課題を解決するための手段】
【０００８】
本発明に係る冷蔵庫は、少なくとも１つの貯蔵室を有する冷蔵庫において、少なくとも１つの貯蔵室内に設けられた貯蔵スペースである湿度調整室と、吸着剤が担持され、湿度調整室の内側、及び湿度調整室の外側とに跨って回転可能に設けられた水分吸着手段と、水分吸着手段を回転させる回転駆動手段と、水分吸着手段に空気を送り込む第１送風手段と、貯蔵室の冷却に利用される冷気を生成する冷却器と、冷却器で冷却された空気を搬送する空気搬送手段と、空気搬送手段によって冷却器から貯蔵室に搬送される空気を導く冷却空気搬送風路と、貯蔵室から冷却器に搬送される空気を導く戻り空気搬送風路と、を備え、水分吸着手段のうち湿度調整室内に位置する領域を第１領域、湿度調整室外に位置する領域を第２領域としたとき、第１送風手段は、第１領域、又は第２領域に空気を送り込み、回転駆動手段は、水分吸着手段を回転させて、第１領域に位置する領域と、第２領域に位置する領域とを交替可能とし、水分吸着手段は、湿度調整室内と湿度調整室外との境界面上であって水分吸着手段の重心を通る回転軸を中心に回転し、第２領域が、冷却空気搬送風路、あるいは戻り空気搬送風路に配置されたものである。
【発明の効果】
【０００９】
本発明に係る冷蔵庫によれば、密閉空間内外に跨って水分吸着手段を設置し、密閉空間内に設置された湿度検出手段により湿度の上昇を検出した際に、回転駆動手段および密閉空間内に設置された第１送風手段を運転することにより、水分吸着手段が密閉空間内の高湿空気を吸着して、密閉空間外の低湿空気へ放出するので、水分蒸散を抑制できる密閉空間内において、密閉空間を結露させることなく食品を保管することが可能になるという効果が得られる。
【図面の簡単な説明】
【００１０】
【図１】（ａ）が本発明の実施の形態１に係る冷蔵庫の正面図、（ｂ）が（ａ）の点線Ａ−Ａにおける冷蔵庫の断面図である。
【図２】実施の形態１に係る冷蔵庫の湿度調整室の概略構成図である。
【図３】図２に示す湿度調整室の構成例を説明する模式図である。
【図４】図２に示す湿度調整室に葉物野菜を収納し、回転駆動手段、及び第１送風手段を約３０分サイクルで間欠運転した際の、湿度調整室内外の湿度実測データである。
【図５】図２に示す湿度調整室に、湿度検出手段の代わりに蓋部開閉検出手段を設けた概略構成図である。
【図６】本発明の実施の形態２に係る冷蔵庫の湿度調整室の構成例を説明する模式図である。
【図７】図６に示す湿度調整室に、湿度検出手段の代わりに蓋部開閉検出手段を設けた構成例を説明する模式図である。
【図８】実施の形態３に係る冷蔵庫の湿度調整室の概略構成図である。
【図９】図８に示す湿度調整室の構成例を説明する模式図である。
【図１０】図８に示す湿度調整室に葉物野菜を収納し、回転駆動手段、第１送風手段及び第２送風手段を約３０分サイクルで間欠運転した際の、湿度調整室内外の湿度実測データである。
【発明を実施するための形態】
【００１１】
以下、本発明の実施の形態を図面に基づいて説明する。
実施の形態１．
［冷蔵庫３００の構成］
冷蔵庫３００は、図１（ａ）、図１（ｂ）に示すように、断熱筐体である外郭内（庫内）に、貯蔵品（食品等）を収納する冷蔵室３０１、切替室３０２、野菜室１００及び冷凍室３０３が、それぞれが区画されて設けられている。
【００１２】
冷蔵室３０１は、貯蔵品を冷蔵することができる。この冷蔵室３０１の前面側には、例えばヒンジ式の右扉３０１Ａ及び左扉３０１Ｂが設けられている。これらの右扉３０１Ａ及び左扉３０１Ｂは、ヒンジ（図示省略）によって、冷蔵室３０１の前面両側部にそれぞれ連結されている。なお、図１（ａ）に示すように、右扉３０１Ａ及び左扉３０１Ｂは、正面視した時に左右非対称となっていてもよい（大きさが異なっていてもよい）。
【００１３】
切替室３０２は、貯蔵品を冷蔵したり冷凍したりできるように温度調整が可能となっている。この切替室３０２には、例えば引き出し式の扉３０２Ａが設けられている。
【００１４】
野菜室１００は、特に、野菜を冷蔵するのに適している。この野菜室１００には、引き出し式の扉１００Ａが設けられている。
【００１５】
冷凍室３０３は、貯蔵品を冷凍することができる。この冷凍室３０３には、例えば引き出し式の扉３０３Ａが設けられている。
【００１６】
冷蔵室３０１、切替室３０２、野菜室１００及び冷凍室３０３のうちの少なくとも１つには、湿度調整室１が設けられている。
湿度調整室１は、水分吸着手段２、回転駆動手段３、湿度検出手段４及び第１送風手段５を備えている。
【００１７】
［湿度調整室１について］
湿度調整室１（調湿空間）は、貯蔵品を保存するスペースを有し、当該貯蔵品の鮮度維持のために、湿度が調整可能となっている。
湿度調整室１の外郭の形状は、特に、限定されるものではない。湿度調整室１は、例えば図２で図示されるように、その外郭のうち、側面及び底面を湿度調整室箱部１Ｂから構成し、上面を湿度調整室蓋部１Ａから構成するとよい。また、湿度調整室１の貯蔵品を保存する空間は、略密閉されたものであるが、例えば湿度調整室１には、湿度調整室１内と湿度調整室１外とに連通する穴や隙間等が形成されていてもよい。
また、湿度調整室箱部１Ｂ及び湿度調整室蓋部１Ａは、例えば、空気中の水分が透過しないもので構成するとよい。
【００１８】
湿度調整室１には、図３で示すように、後述する水分吸着手段２を設けるための、境界面Ｐが形成されている。この境界面Ｐが形成される位置は、特に、限定されるものではないが、例えば湿度調整室１の側面、上面、底面及び角等とするとよい。
なお、以下の説明では、野菜室１００内に湿度調整室１を設けた場合を例に説明する。
【００１９】
[水分吸着手段２について]
水分吸着手段２は、回転軸方向（空気が通気する方向）に通気性を有するローター基材（ハニカム構造、コルゲート構造などを有する多孔質基材）に、吸着材（例えばゼオライト、シリカゲル、活性炭、メソポーラスシリカ、又は高分子吸着材等）が、担持（塗布、表面処理、又は含浸）されたものである。
この水分吸着手段２の形状は、特に、限定されるものではない。ここでは、水分吸着手段２の形状は、円柱形状とするとよいが、直方体形状等でもよい。
水分吸着手段２は、湿度調整室１内（湿度調整室１内側）及び湿度調整室１外（湿度調整室１外側）に跨って回転可能に配置されたものである。そして、水分吸着手段２が、軸を中心に回転することで、第１領域２Ａに位置していた部分が第２領域２Ｂに移動し（交替し）、第２領域２Ｂに位置していた部分が第１領域２Ａに移動する（交替する）。なお、第１領域２Ａとは、水分吸着手段のうち湿度調整室１内に位置する部分を指すものとする。また第２領域２Ｂとは、水分吸着手段のうち湿度調整室１外に位置する部分を指すものとする。
これにより水分吸着手段２は、湿度調整室１内の空気中の水分を吸着し、該吸着された水分を湿度調整室１外に空気に脱着したり、湿度調整室１外の空気中の水分を吸着し、該吸着された水分を湿度調整室１内に脱着したりすることができる。
【００２０】
水分吸着手段２の回転軸の位置は、特に、限定されるものではない。例えば水分吸着手段２の回転軸の位置は、重心を通るように設けられていると好ましい。これにより、水分吸着手段２の回転がスムーズになる。その他に、例えば水分吸着手段２の回転軸の位置は、第１領域２Ａが湿度調整室１内に対して面する領域が充分に確保されるとともに、第２領域２Ｂが湿度調整室１外に対して面する領域も充分に確保されていると好ましい。これにより、水分吸着手段２が、湿度調整室１内の水分と湿度調整室１外の水分と、を確実に交換することができる。
さらに、水分吸着手段２の回転軸は、例えば湿度調整室１内と湿度調整室１外との境界面Ｐ上に設けられていると好ましい。これにより、水分吸着手段２が、湿度調整室１内の水分と湿度調整室１外の水分と、を確実に交換することができる。
また、水分吸着手段２が湿度調整室１に設けられる位置は、特に、限定されるものではないが、例えば図２に図示するように、湿度調整室１の側面とするのが好ましい。  
【００２１】
[回転駆動手段３について]
回転駆動手段３は、後述する湿度制御手段１０の指令に基づいて、水分吸着手段２を軸回転させるものであり、その回転数を変化させることができる。また、回転駆動手段３は、水分吸着手段２を一定速度で運転したり、停止したりすることを断続的に繰り返す間欠運転をして、単位時間あたりの回転数を変化させることができるものでもよい。この間欠運転の一例には、水分吸着手段２の運転を所定時間停止して、所定時間だけ湿度調整室１内の水分を第１領域２Ａで吸着させてから、所定角度回転させるというものがある。
この回転駆動手段３はモーター等から構成し、図２に示すように、例えば水分吸着手段２の外周と、回転駆動手段３とに、それぞれギア（図示省略）を設け、回転駆動手段３のモーターの回転を、ギアを介して水分吸着手段２に伝達させるようにしたものとすることができる。
なお、回転駆動手段３が設けられる位置は、特に、限定されるものではない。
回転駆動手段３は、後述する湿度検出手段４の検出結果に基づいて、湿度制御手段１０によって動作が制御される。
【００２２】
[第１送風手段５について]
第１送風手段５は、水分吸着手段２の第１領域２Ａ又は第２領域２Ｂに、空気を送り込むものである。例えば第１領域２Ａに空気を送り込む場合には、図３に示すように、湿度調整室内吸込空気Ａ１を、第１領域２Ａに送り込む。そして、第１領域２Ａに送り込まれた湿度調整室内吸込空気Ａ１は、第１領域２Ａに水分の吸着、又は脱着をして通過し、湿度調整室内吹出空気Ａ２として吹き出すようになっている。
なお、第１送風手段５が設けられる位置は、特に、限定されるものではないが、例えば第１領域２Ａに空気を送り込む場合には、湿度調整室１内に設けられ、第２領域２Ｂに空気を送り込む場合には、湿度調整室１外に設けられているのが好ましい。
また、第１送風手段５は、後述する湿度制御手段１０の指令に基づいて、風量を変化させることができる。また、第１送風手段５は、一定風量としたり、停止したりすることを断続的に繰り返す間欠運転をして、単位時間あたりの風量を変化させることができるものでもよい。
【００２３】
［湿度検出手段４について］
湿度検出手段４は、湿度調整室１内の相対湿度を検出する。この湿度検出手段４が設置される位置及び湿度検出手段４が湿度調整室１内の相対湿度を検出する方式は、特に、限定されるものではない。例えば湿度調整室１外から湿度調整室１内に向けて光を照射して、その光の反射から湿度調整室１内の湿度を検出する湿度検出方式の場合には、湿度検出手段４が、湿度調整室１外に設けられていてもよい。
【００２４】
［湿度制御手段１０について］
湿度制御手段１０は、湿度調整室１内の相対湿度を調整するために、湿度検出手段４の検出結果に基づいて、回転駆動手段３及び第１送風手段５を制御するものである。該制御については、後述の［冷蔵庫３００の動作説明］で詳しく説明するものとする。
湿度制御手段１０は、回転駆動手段３、第１送風手段５及び湿度検出手段４に、それぞれが独立した配線で電気的に接続されている（有線）ものとして説明するが、無線であってもよい。
なお、湿度制御手段１０が設けられる位置については、特に、限定されるものではない。
【００２５】
［冷蔵庫３００の動作説明］
冷蔵庫３００の動作の一例について、図３に基づいて、説明する。
常温状態に保存、あるいは放置されていた食品を、冷蔵庫内などの低温環境に移動した場合、食品から水分が蒸散する。特に、水分蒸散の著しいホウレン草等の葉物野菜の場合、密閉度の低い庫内では水分蒸散が持続されて鮮度が損なわれてしまう（しおれ等）。また、このような水分蒸散の著しい食品を、密閉容器に入れて保存する場合、水分蒸散は抑制されるが、容器内に大量の結露水が発生し、かびや臭い等が発生してしまう。
【００２６】
本冷蔵庫３００における湿度調整室１においても、水分蒸散の著しい食品を収納した直後は相対湿度が上昇する。しかし、本冷蔵庫３００は、湿度検出手段４により検出された湿度調整室１の相対湿度に基づいて、湿度制御手段１０が、第１送風手段５の風量、回転駆動手段３の回転数を制御して、湿度調整室１内の湿度を調整する。
湿度調整室１の湿度を低下させる場合には、高湿空気である湿度調整室内吸込空気Ａ１を、第１領域２Ａへ送り込み、第１領域２Ａで水分を吸着させて乾燥した湿度調整室内吹出空気Ａ２を湿度調整室１内に戻して循環させる。さらに、湿度制御手段１０は、湿度調整室１内の水分を吸着した第１領域２Ａを、回転駆動手段３を制御して回転移動させて湿度調整室１外に移動する。そして湿度調整室１外に移動した領域は、湿度調整室１外に湿度調整室１内の水分を湿度調整室外対流空気Ｂとして放出する。
一方、湿度調整室１の湿度を高くする場合には、第１送風手段５の風量、回転駆動手段３の回転数のうち少なくとも一方を小さくする、あるいは停止すればよい。
【００２７】
このように、本冷蔵庫３００における湿度調整室１は、湿度検出手段４により検出された相対湿度に基づいて、湿度制御手段１０が、第１送風手段５及び回転駆動手段３の運転を制御する。これにより、水分吸着手段２が湿度調整室１内の高湿空気を吸着して、湿度調整室１外の低湿空気へ放出するので、水分蒸散を抑制しながら、湿度調整室１を結露させることなく食品を保存することできる。
【００２８】
図４は、図２に示す湿度調整室１に葉物野菜を収納し、回転駆動手段３、及び第１送風手段５を約３０分サイクルで間欠運転した際の、湿度調整室１内外の湿度を実測した時系列データである。
データ２０Ａが湿度調整室内吸込空気Ａ１の湿度、データ２０Ｂが湿度調整室内吹出空気Ａ２の湿度、データ２１Ａが野菜室１００内の湿度調整室外中心付近の湿度調整室外空気の湿度（野菜室１００の代表相対湿度）、データ２１Ｂが第２領域２Ｂ近傍の湿度調整室外対流空気Ｂの湿度を、それぞれ表している。
また、回転駆動手段３および第１送風手段５の運転状況として、運転停止期間３０Ａ、運転停止期間３０Ｂ及び運転停止期間３０Ｃは、回転駆動手段３及び第１送風手段５の両運転を停止した期間、運転期間３１Ａは第１送風手段５を風量小で運転した期間、運転期間３１Ｂは第１送風手段５を風量中で運転した期間、運転期間３１Ｃは第１送風手段５を風量大で運転した期間を、それぞれ表している。
なお、湿度調整室１に葉物野菜を収納開始（０：００）してから１時間までは運転を停止し、以降は約３０分ごとに間欠運転を行っている。また、（２：３０〜３：３０）の間は、冷却器（図示省略）の除霜運転のため１時間運転を停止している。なお、冷却器は、例えば、蒸発器として機能させた熱交換器等である。この冷却器によって冷却された空気は、この冷却器に付設された空気搬送手段（ファン等）によって、冷蔵庫３００（冷蔵室３０１、切替室３０２、野菜室１００及び冷凍室３０３）内に送り込まれるようになっている。
【００２９】
［運転停止期間３０Ａにおいて］
収納開始から１時間までの運転停止期間３０Ａにおいて、データ２０Ａ及びデータ２０Ｂに示すように、湿度調整室内吸込空気Ａ１の湿度と湿度調整室内吹出空気Ａ２の湿度は、９５％ＲＨ（相対湿度９５％）以上となっている。これは、湿度調整室１内において、収納された葉物野菜の水分が湿度調整室１内に水蒸気として放出され、該水蒸気が湿度調整室１内で滞留するためである。
一方、データ２１Ａ及びデータ２１Ｂが示すように、湿度調整室外空気の湿度及び湿度調整室外対流空気Ｂの湿度は、２０％ＲＨ程度となっている。
［運転期間３１Ａにおいて］
第１送風手段５の風量小である運転期間３１Ａにおいて、データ２０Ａに示すように、湿度調整室内吸込空気Ａ１の湿度は、９０％ＲＨ程度となっている。これは、第１領域２Ａによって吸着された空気が循環するためである。また、データ２０Ｂに示すように、湿度調整室内吹出空気Ａ２の湿度は、８０％ＲＨとなっている。これは、湿度調整室内吸込空気Ａ１の水分が、第１領域２Ａで吸着されたためである。
一方、データ２１Ｂに示すように、湿度調整室外対流空気Ｂの湿度は上昇する。これは、第１領域２Ａで吸着された水分が、脱着されたためである。また、データ２１Ａが示すように、湿度調整室外空気の湿度も、第１領域２Ａで吸着された水分が、脱着されたため若干上昇する。
【００３０】
［運転停止期間３０Ｂにおいて］
その後、第１送風手段５及び水分吸着手段２の運転を停止することにより、データ２０Ａ及びデータ２０Ｂに示すように、湿度調整室内吸込空気Ａ１の湿度及び湿度調整室内吹出空気Ａ２の湿度は上昇する。
また、データ２１Ａ及びデータ２１Ｂに示すように、湿度調整室外空気の湿度及び湿度調整室外対流空気Ｂの湿度は、低下する。
［運転期間３１Ｂにおいて］
運転期間３１Ｂにおいては、第１送風手段５の風量が、運転期間３１Ａより大きい。これにより、データ２０Ａに示すように、湿度調整室内吸込空気Ａ１の湿度は、８５％ＲＨ程度まで低下している。また、データ２０Ｂに示すように、湿度調整室内吹出空気Ａ２の湿度は、８０％ＲＨ程度まで低下している。
一方、データ２１Ｂに示すように、湿度調整室外対流空気Ｂの湿度は上昇する。これは、第１領域２Ａで吸着された水分が、脱着されたためである。また、データ２１Ａが示すように、湿度調整室外空気の湿度も、第１領域２Ａで吸着された水分が、脱着されたため若干上昇する。
【００３１】
［運転停止期間３０Ｃにおいて］
その後、第１送風手段５及び水分吸着手段２の運転を停止する。これは、冷却器に生じた霜を除去して、圧力損失、熱交換効率が低減してしまった状態を戻すためである。
データ２０Ａ及びデータ２０Ｂに示すように、湿度調整室内吸込空気Ａ１の湿度と湿度調整室内吹出空気Ａ２の湿度は上昇する。
また、データ２１Ａ及びデータ２１Ｂに示すように、湿度調整室外空気の湿度及び湿度調整室外対流空気Ｂの湿度が上昇する。これは、冷却器の除去される霜のうち、液体ではなく気体（水蒸気）となったものが、冷却器と連通した空間である湿度調整室１外に流入したためである。
【００３２】
［運転期間３１Ｃにおいて］
運転期間３１Ｃにおいては、第１送風手段５の風量が、運転期間３１Ｂより大きい。これにより、データ２０Ａに示すように、湿度調整室内吸込空気Ａ１の湿度は、８０％ＲＨ程度まで低下している。また、データ２０Ｂに示すように、湿度調整室内吹出空気Ａ２の湿度は、７５％ＲＨ程度まで低下している。
一方、データ２１Ｂに示すように、湿度調整室外対流空気Ｂの湿度は上昇する。これは、第１領域２Ａで吸着された水分が、脱着されたためである。また、データ２１Ａが示すように、湿度調整室外空気の湿度も、第１領域２Ａで吸着された水分が、脱着されたため若干上昇する。
【００３３】
図４より、水分吸着手段２の回転する条件が同じであれば、第１送風手段５の風量が大きいほど、湿度調整室１内の湿度を低下させることができることがわかる。
また、湿度調整室１外においては、第２領域２Ｂの近傍の湿度である湿度調整室外対流空気Ｂの湿度は、運転期間中（運転期間３１Ａ〜３１Ｃにおけるデータ２１Ｂ参照）において、５０％ＲＨ程度まで上昇する。しかし、湿度調整室１外の空気は循環されないため、湿度調整室１外の代表湿度であるデータ２１Ａは、運転停止期間（運転停止期間３０Ａ〜３０Ｃにおけるデータ２１Ａ参照）における変化がほとんどないことがわかる。
【００３４】
従って、実施の形態１に係る冷蔵庫３００は、第１送風手段５の風量を制御することで、湿度調整室１内に保存された食品に応じた湿度環境に調整（調湿）することができる。
具体的には、湿度検出手段４の検出値が、所定の湿度範囲より高ければ第１送風手段５の風量を大きくし、低ければ第１送風手段５の風量を小さくする、あるいは停止するように制御するということである。
これにより、葉物野菜や生鮮食品などの水分蒸散の多い食品に対しては、高湿環境（例えば８５〜９５％ＲＨ）となるように第１送風手段５の風量を制御すればよい。ここで、１００％ＲＨとならないように第１送風手段５の風量を制御すれば、湿度調整室１内を結露させてしまうことが抑制される。
また、茶葉や乾物など高湿環境を必要としない食品に対しては、上記高湿環境を実現するよりも大きい回転数で、低湿環境（例えば３０％〜４０％ＲＨ）となるように第１送風手段５の風量を制御すればよい。
【００３５】
［変形例１］
図４では、第１送風手段５の風量を変更、あるいは停止することにより、湿度調整室１内の湿度を制御する例を示したが、回転駆動手段３の回転数を変更、あるいは停止して湿度調整室１内の湿度を制御してもよい。
回転駆動手段３の回転数を大きくするほど、水分吸着手段２による湿度調整室１内外の空気間の水分の移動量（湿度交換量）が増加する。従って、湿度検出手段４の検出値が、所定の湿度範囲より高ければ回転数を大きくし、低ければ小さくする、あるいは停止することにより、湿度調整室１内に保存された食品に応じた湿度環境に調整（調湿）することができる。
このように、回転駆動手段３の回転数を変更、あるいは停止して湿度調整室１内の湿度を制御する方法は、第１送風手段５の風量を変更、又は停止して湿度調整室１内の湿度を制御する方法と比べて、騒音を低減することができる。
【００３６】
また、第１送風手段５の風量と、回転駆動手段３の回転数との双方を変更、あるいは停止して湿度調整室１内の湿度を制御してもよい。これにより、短時間で湿度調整室１内に保存された食品に応じた湿度環境に調整（調湿）することができる。
【００３７】
また、例えば高湿状態（低湿状態）を維持するために、湿度検出手段４の検出値が所定の湿度範囲より高く（低く）なった場合でも、それまでの運転状態を１０分間変更しない等、時間を組み合わせた制御を行ってもよい。これにより、湿度制御手段１０が、湿度検出手段４を検出しなくてもよい時間が生じるので消費電力を低減することができる。
【００３８】
［変形例２］
図２及び図３に図示されるように、第１送風手段５は、第１領域２Ａの風上側に設けられた構成となっているが、第１送風手段５を、第１領域２Ａの風下側に設置し、湿度調整室内吹出空気Ａ２を吸い出す構成としてもよい。なお、風上側とは、第１領域２Ａを通過する空気の方向に対して、風上側ということである。
第１送風手段５が、第１領域２Ａの風上側に設けられた場合には、第１領域２Ａにおける風速分布が均一化され、水分吸着手段２の全体に担持された吸着剤を有効に使用することができる。
一方、第１送風手段５が、第１領域２Ａの風下側に設けられた場合には、第１領域２Ａにおける風路圧損が小さくなるため、第１送風手段５の出力を小さくすることができるので、消費電力を低減したり、騒音を小さくしたりすることができる。
【００３９】
［変形例３］
また、湿度調整室１が設けられる場所は、特に、限定されるものではない。例えば湿度調整室１が冷蔵室３０１（切替室３０２）に設けられた場合には、生鮮食品やお惣菜等を保存する際に、ラップで包装したり、タッパーに入れたり等をする手間をかけることなく、水分蒸散を抑えて鮮度やおいしさを維持することができる。
また、湿度調整室１が冷凍室３０３（切替室３０２）に設けられた場合には、湿度調整室１内にて結露を抑制できるので、例えば冷凍食品の表面に着霜させることなく保存することができる。
【００４０】
［変形例４］
図５は、図２に示す湿度調整室１に、湿度検出手段４の代わりに蓋部開閉検出手段７を設けた構成例を説明するものである。湿度検出手段４の代わりに、湿度調整室蓋部１Ａの開閉を検出する蓋部開閉検出手段７を設け、その検出結果に基づいて第１送風手段５の風量、回転駆動手段３の回転数を制御しても、湿度調整室１内に保存された食品に応じた湿度環境に調整することができる。  
これは、湿度調整室１内の湿度が急激に変化するのは、湿度調整室蓋部１Ａを開閉したときであるからである。
なお、蓋部開閉検出手段７が設けられる位置や蓋部開閉検出手段７の開閉を検出する方法は、特に、限定されるものではない。蓋部開閉検出手段７の開閉検出には、例えば湿度調整室蓋部１Ａの開閉を直接検出する圧力センサ、重量センサ等を採用すればよい。
さらに、野菜室１００内に湿度調整室１が設置された場合には、扉１００Ａの開閉と同時に湿度調整室蓋部１Ａも開閉する構成とし、扉１００Ａの開閉を検出するセンサにて蓋部開閉検出手段７を代用してもよい。
【００４１】
実施の形態２．
本実施の形態２では、実施の形態１と同一部分には同一符号とし、実施の形態１との相違点を中心に説明するものとする。
【００４２】
［実施の形態２に係る冷蔵庫３００の構成］
実施の形態２に係る冷蔵庫３００の構成について、図６に基づいて説明する。
実施の形態１に係る冷蔵庫３００は、水分吸着手段２が、湿度調整室１内及び湿度調整室１外に跨るように配置されたものである。それに対し実施の形態２に係る冷蔵庫３００は、湿度調整室１内と、実施の形態２に係る冷蔵庫３００の冷却器から搬送される冷却空気の通風路である冷却空気搬送風路２００とに跨るように設けられたものである。
冷却空気搬送風路２００は、冷却器から野菜室１００に搬送される冷却空気の風路である。この冷却空気搬送風路２００を流れてきた冷却空気は、野菜室吹出口１０１から野菜室１００内に流入する。その後、野菜室戻り口１０２から野菜室１００外に流出して冷却器へ戻る。  
【００４３】
［実施の形態２に係る冷蔵庫３００の動作説明］
実施の形態２に係る冷蔵庫３００の動作の一例について、図６に基づいて説明する。
実施の形態２に係る冷蔵庫３００は、湿度検出手段４により検出された相対湿度に基づいて、湿度制御手段１０が、第１送風手段５の風量、回転駆動手段３の回転数を制御する。
湿度調整室１の湿度を低下させる場合には、高湿空気である湿度調整室内吸込空気Ａ１を、第１領域２Ａへ送り込み、第１領域２Ａで水分を吸着させて乾燥させた湿度調整室内吹出空気Ａ２を湿度調整室１内に戻して循環させる。
また、湿度制御手段１０は、湿度調整室１内の水分を吸着した第１領域２Ａを、回転駆動手段３を制御して回転移動させて冷却空気搬送風路２００に移動する。そして、冷却空気搬送風路２００を流れる冷却風路内吸込空気Ｃ１に、第２領域２Ｂの水分を脱着させる。そして、冷却風路内吸込空気Ｃ１は、冷却空気搬送風路２００内に戻されて、冷却風路内吹出空気Ｃ２として野菜室吹出口１０１から野菜室１００内に流入する。さらに、冷却風路内吹出空気Ｃ２は、野菜室戻り口１０２から野菜室１００外に流出して冷却器へ戻る。
【００４４】
従って、実施の形態２に係る冷蔵庫３００に、水分蒸散の著しい食品を収納した場合においても、湿度調整室１を結露させないようにしながら、食品を保存することができる。
また、実施の形態２に係る冷蔵庫３００は、第２領域２Ｂを、冷蔵室３０１、切替室３０２、野菜室１００及び冷凍室３０３よりも低湿な冷却空気搬送風路２００とした。これにより、短時間で湿度調整室１内の水分と湿度調整室１外の水分の移動を行うことができる。
【００４５】
なお、図６では、実施の形態２に係る冷蔵庫３００は、水分吸着手段の第２領域２Ｂが、冷却空気搬送風路２００に設けられたものとして説明したが、第２領域２Ｂを冷凍室３０３から冷却器への戻り空気搬送風路（図示省略）としても、湿度調整室１内の水分と、湿度調整室１外の水分との移動を行うことができる。これは冷凍室３０３から冷却器への戻り空気搬送風路を流れる冷却空気は、比較的低湿であり、気流もあるためである。
なお、冷凍室３０３から冷却器への戻り空気搬送風路とは、冷凍室３０３を流れた後に、冷却器に搬送される冷却空気の風路である。
【００４６】
また、実施の形態２に係る冷蔵庫３００においても、実施の形態１の［変形例１］に記載の内容を採用し、回転駆動手段３の回転数を制御して湿度調整室１内の湿度を調整してもよい。
【００４７】
図７は、図６に示す湿度調整室１に、湿度検出手段４の代わりに蓋部開閉検出手段７を設けた構成例を説明するものである。
実施の形態１における［変形例４］で説明したように、実施の形態２に係る冷蔵庫３００においても、湿度検出手段４の代わりに、湿度調整室蓋部１Ａの開閉を検出する蓋部開閉検出手段７を設けた構成としてもよい。この構成でも、湿度調整室１内に保存された食品に応じた湿度環境に調整することができる。
なお、実施の形態１の［変形例２］及び［変形例３］の記載内容を、実施の形態２に係る冷蔵庫３００に採用してもよいことは言うまでもない。
【００４８】
実施の形態３．
本実施の形態３では、実施の形態１及び実施の形態２と同一部分には同一符号とし、実施の形態１及び実施の形態２との相違点を中心に説明するものとする。
【００４９】
［実施の形態３に係る冷蔵庫３００の構成］
実施の形態３に係る冷蔵庫３００の構成について、図８に基づいて説明する。
実施の形態１に係る冷蔵庫３００は、第１領域２Ａに空気を送り込む第１送風手段５が設けられたものであるが、実施の形態３に係る冷蔵庫３００は、第１送風手段５に加えて、さらに、第２領域２Ｂに空気を送り込む第２送風手段６が設けられたものである。
つまり、実施の形態３に係る冷蔵庫３００には、湿度調整室１内と湿度調整室１外とに跨るように設けられた水分吸着手段２の第１領域２Ａに空気を送り込む第１送風手段５と、第２領域２Ｂに空気を送り込む第２送風手段６と、が設けられた構成となっている。
それにより実施の形態３に係る冷蔵庫３００は、湿度調整室１内において、第１送風手段５によって第１領域２Ａに空気が送り込まれる。そして第１領域２Ａを通過した空気が、湿度調整室１内を循環する。
また、湿度調整室１外において、第２送風手段６によって第１領域２Ｂに空気が送り込まれる。そして第２領域２Ｂを通過した空気が湿度調整室１外を循環する。
【００５０】
図９は、湿度調整室１を野菜室１００内部に設置したときの概略構成図であり、Ａ１は第１送風手段５により水分吸着手段の第１領域２Ａに供給される湿度調整室内吸込空気、Ａ２は水分吸着手段の第１領域２Ａを通過した湿度調整室内吹出空気を示しており、またＢ１は第２送風手段６により水分吸着手段の第２領域２Ｂに供給される湿度調整室外吸込空気、Ｂ２は水分吸着手段の第２領域２Ｂを通過した湿度調整室外吹出空気を示している。
【００５１】
［実施の形態３に係る冷蔵庫３００の動作説明］
実施の形態３に係る冷蔵庫３００の動作の一例について、図８及び図９に基づいて説明する。
図９の湿度調整室１内において、葉物野菜を収納した直後は湿度が上昇するが、湿度検出手段４が相対湿度の上昇を検出すると、当該検出結果に基づいて、湿度制御手段１０が、第１送風手段５の風量、第２送風手段６の風量及び回転駆動手段３の回転数を制御するようになっている。
【００５２】
湿度調整室１内において、湿度検出手段４により検出された相対湿度に基づいて、湿度制御手段１０は、第１送風手段５の風量を制御する。つまり高湿空気である湿度調整室内吸込空気Ａ１を、第１領域２Ａへ送り込む量を制御する。そして第１領域２Ａで水分を吸着して乾燥した湿度調整室内吹出空気Ａ２が湿度調整室１内に戻される。
さらに、湿度制御手段１０は、湿度調整室１内の水分を吸着した第１領域２Ａを、回転駆動手段３を制御して回転させて湿度調整室１外に移動させる。これにより低湿な湿度調整室外吸込空気Ｂ１に吸着された水分が脱着され、水分を含んだ湿度調整室外吹出空気Ｂ２として湿度調整室１外を循環する。
【００５３】
このように、湿度検出手段４により検出された相対湿度に基づいて、湿度制御手段１０が、第１送風手段５の風量、第２送風手段６の風量及び回転駆動手段３の回転数を制御し、湿度調整室１の湿度を調整する。これにより、水分蒸散を抑制しながら、湿度調整室１を結露させることなく食品を保存することできる。
さらに、実施の形態３に係る冷蔵庫３００は、第２領域２Ｂも第２送風手段６によって空気が送り込まれるので、湿度調整室１内の水分と、湿度調整室１外の水分との移動を短時間で行うことができる。
また、実施の形態３に係る冷蔵庫３００は、第２送風手段６が、水分を含んだ湿度調整室外吹出空気Ｂ２を湿度調整室１外に循環させるので、湿度調整室１外を加湿することができる。
【００５４】
図１０は、図８に示す湿度調整室１に葉物野菜を収納し、回転駆動手段３、第１送風手段５及び第２送風手段６を約３０分サイクルで間欠運転した際の、湿度調整室１内外の湿度実測データである。
データ２２Ａが湿度調整室内吸込空気Ａ１の湿度、データ２２Ｂが湿度調整室内吹出空気Ａ２の湿度、データ２３Ａが湿度調整室外吸込空気Ｂ１の湿度、データ２３Ｂが湿度調整室外吹出空気Ｂ２の湿度を、それぞれ表している。
運転停止期間４０Ａ、運転停止期間４０Ｂ、及び運転停止期間４０Ｃは、回転駆動手段３、第１送風手段５、及び第２送風手段６の全てを停止した期間である。また、運転期間３２Ａ及び運転期間３２Ｂは、回転駆動手段３、第１送風手段５、及び第２送風手段６の全てを運転した期間である。ここで、運転期間３２Ａと運転期間３２Ｂとにおける回転駆動手段３、第１送風手段５、及び第２送風手段６の運転は同じであるものとする。
なお、湿度調整室１に葉物野菜を収納開始（０：００）してから１時間までは運転を停止し、以降は約３０分ごとに間欠運転を行っている。    
【００５５】
［運転停止期間４０Ａにおいて］
収納開始から１時間までの運転停止期間４０Ａにおいて、データ２２Ａ及びデータ２２Ｂに示すように、湿度調整室内吸込空気Ａ１の湿度と湿度調整室内吹出空気Ａ２の湿度は、９５％ＲＨ（相対湿度９５％）以上となっている。これは、湿度調整室１内において、収納された葉物野菜の水分が湿度調整室１内に水蒸気として放出され、該水蒸気が湿度調整室１内で滞留するためである。
一方、データ２３Ａ及びデータ２３Ｂに示すように、湿度調整室外吸込空気の湿度及び湿度調整室吹出空気の湿度は、３０％ＲＨ程度となっている。
【００５６】
［運転期間３２Ａにおいて］
運転期間３２Ａにおいて、データ２２Ｂに示すように、湿度調整室内吹出空気Ａ２の湿度は、７０％ＲＨ程度となっている。これは、湿度調整室内吸込空気Ａ１の水分が、第１領域２Ａで吸着されたためである。また、データ２２Ａに示すように、湿度調整室内吸込空気Ａ１の湿度は、７５％程度となっている。これは、第１領域２Ａによって吸着された空気が循環するためである。
一方、データ２３Ｂに示すように、湿度調整室外吹出空気Ｂ２の湿度は、７０％程度となっている。これは、第２領域２Ｂで水分が、脱着されたためである。また、データ２３Ａが示すように、湿度調整室外吸込空気Ｂ１の湿度も、第２送風手段６の湿度調整室１外の空気が循環するので、５５％程度まで上昇する。
【００５７】
［運転停止期間４０Ｂにおいて］
その後、第１送風手段５、第２送風手段６及び回転駆動手段３の運転を停止することにより、データ２２Ａ及びデータ２２Ｂに示すように、湿度調整室内吸込空気Ａ１の湿度及び湿度調整室内吹出空気Ａ２の湿度は上昇する。
また、データ２３Ａ及びデータ２３Ｂに示すように、湿度調整室外吸込空気Ｂ１の湿度及び湿度調整室外吹出空気Ｂ２の湿度は低下する。
【００５８】
［運転期間３２Ｂにおいて］
運転期間３２Ｂにおいて、データ２２Ｂに示すように、湿度調整室内吹出空気Ａ２の湿度は、６０％ＲＨ程度となっている。これは、湿度調整室内吸込空気Ａ１の水分が、第１領域２Ａで吸着されたためである。また、データ２２Ａに示すように、湿度調整室内吹出空気Ａ２の湿度は、７０％程度となっている。これは、第１領域２Ａによって吸着された空気が循環するためである。
一方、データ２３Ｂに示すように、湿度調整室外吹出空気Ｂ２の湿度は、６０％程度となっている。これは、第２領域２Ｂで水分が、脱着されたためである。また、データ２３Ａが示すように、湿度調整室外吸込空気Ｂ１の湿度も、第２送風手段６によって湿度調整室１外の空気が循環するので、６０％近くまで上昇する。
【００５９】
［運転停止期間４０Ｃにおいて］
その後、第１送風手段５、第２送風手段６及び水分吸着手段２の運転を停止することにより、データ２２Ａ及びデータ２２Ｂに示すように、湿度調整室内吸込空気Ａ１の湿度及び湿度調整室内吹出空気Ａ２の湿度は上昇する。
また、データ２３Ａ及びデータ２３Ｂに示すように、湿度調整室外吸込空気Ｂ１の湿度及び湿度調整室外吹出空気Ｂ２の湿度は低下する。
【００６０】
なお、実施の形態３に係る冷蔵庫３００においても、実施の形態１の［変形例１］に記載の内容を採用し、回転駆動手段３の回転数を制御して湿度調整室１内の湿度を調整してもよい。
【００６１】
実施の形態３に係る冷蔵庫３００は、湿度制御手段１０により、湿度検出手段４の検出値が、所定の湿度範囲より高ければ第１送風手段５の風量、第２送風手段６の風量及び回転駆動手段３の回転数のうちの少なくとも１つを大きくすることで、湿度調整室１の湿度を高湿状態にすることができる。
また、所定の湿度範囲より低ければ第１送風手段５の風量、第２送風手段６の風量及び回転駆動手段３の回転数のうちの少なくとも１つを小さくする、あるいは停止することで湿度調整室１内を低湿状態にすることができる。
つまり、実施の形態３に係る冷蔵庫３００は、湿度検出手段４の検出結果に基づいて、第１送風手段５の風量、第２送風手段６の風量及び回転駆動手段３の回転数を制御することで、湿度調整室１内に保存された食品に応じた湿度環境に調整することができる。
【００６２】
さらに、実施の形態３に係る冷蔵庫３００は、第１送風手段５の風量を制御するだけでなく、第２送風手段６の風量を制御するので、湿度調整室１内だけでなく、湿度調整室１外の相対湿度（データ２３Ａの運転期間３２Ａ及び３２Ｂ参照）も、制御することができる。すなわち、高湿環境（例えば８０〜９０％ＲＨ）で保存することが望ましい食品と、低湿環境で保存することが望ましい食品との両食品に対して、同時に、食品に応じた湿度環境に調整（調湿）することができるということである。
具体的には、葉物野菜や生鮮食品などの水分蒸散の多い食品を湿度調整室１に保存し、また、茶葉や乾物など高湿環境を必要としない食品を湿度調整室１外に保存する。そして、湿度調整室１内が高湿環境（例えば８５〜９５％ＲＨ）となるように、湿度調整室１外が低湿環境（例えば３０％〜４０％ＲＨ）となるように、第１送風手段５の風量、第２送風手段６の風量及び回転駆動手段３の回転数のうち少なくとも１つを制御すればよい。ここで、湿度調整室１内が１００％ＲＨとならないように制御すれば、湿度調整室１内を結露させてしまうことが抑制される。
【００６３】
また、実施の形態３に係る冷蔵庫３００は、第１送風手段５に加えて、第２送風手段６を備えた構成となっているので、湿度調整室１内の湿度を短時間で、湿度調整室１内及び湿度調整室１外に保存された食品に応じた湿度環境に調整することができる。
【００６４】
なお、実施の形態１の[変形例２]〜[変形例４]の記載内容を、実施の形態３に係る冷蔵庫３００に採用してもよいことは言うまでもない。
【００６５】
また、実施の形態１〜３に記載されている内容を適宜組み合わせてもよいことは言うまでもない。
【００６６】
実施の形態１に係る冷蔵庫３００〜実施の形態３に係る冷蔵庫３００においては、水分吸着手段２に含まれる水分を、ヒーター等の熱を利用して脱着する構成ではないので、消費電力が大きくなってしまうことが抑制されるという効果も奏する。
【符号の説明】
【００６７】
１  湿度調整室、１Ａ  湿度調整室蓋部、１Ｂ  湿度調整室箱部、２  水分吸着手段、２Ａ  第１領域、２Ｂ  第２領域、３  回転駆動手段、４  湿度検出手段、５  第１送風手段、６  第２送風手段、７  蓋部開閉検出手段、１０  湿度制御手段、２０Ａ  湿度調整室内吸込空気の湿度、２０Ｂ  湿度調整室内吹出空気の湿度、２１Ａ  湿度調整室外空気の湿度、２１Ｂ  湿度調整室外対流空気の湿度、３０  運転停止期間、３１Ａ  運転期間（第１送風手段：風量小）、３１Ｂ  運転期間（第１送風手段：風量中）、３１Ｃ  運転期間（第１送風手段：風量大）、１００  野菜室、１００Ａ  扉、１０１  野菜室吹出口、１０２  野菜室戻り口、２００  冷却空気搬送風路、３００  冷蔵庫、３０１  冷蔵室、３０１Ａ  右扉、３０１Ｂ  左扉、３０２  切替室、３０２Ａ  扉、３０３  冷凍室、３０３Ａ  扉、Ａ１  湿度調整室内吸込空気、Ａ２  湿度調整室内吹出空気、Ｂ  湿度調整室外対流空気、Ｂ１  湿度調整室外吸込空気、Ｂ２  湿度調整室外吹出空気、Ｃ１  冷却風路内吸込空気、Ｃ２  冷却風路内吹出空気。  
【図１】
0005143210.tif 000002
【図３】
0005143210.tif 000003
【図４】
0005143210.tif 000004
【図６】
0005143210.tif 000005
【図７】
0005143210.tif 000006
【図９】
0005143210.tif 000007
【図１０】
0005143210.tif 000008
【図２】
0005143210.tif 000009
【図５】
0005143210.tif 000010
【図８】
0005143210.tif 000011